【手続補正書】
【提出日】平成23年10月13日(2011.10.13)
【手続補正１】
【補正対象書類名】特許請求の範囲
【補正対象項目名】全文
【補正方法】変更
【補正の内容】
【特許請求の範囲】
【請求項１】
少なくとも１つのアンテナと、
前記少なくとも１つのアンテナに結合され、前記少なくとも１つのアンテナを介して送信するために信号を生成し、または前記少なくとも１つのアンテナを介して受信された信号を処理する複数のハードウェアコンポーネントと、
コンピューター実行可能モジュールを含むコンピューター可読記憶媒体とを含み、前記コンピューター実行可能モジュールは、
送信する前記信号に含めるためのデータを生成し、または前記少なくとも１つのアンテナを介して受信された前記信号から抽出されたデータを操作する、データ生成モジュールまたはデータ消費モジュールと、
ソフトウェア無線機モジュールであって、
複数のデータ処理モジュールであって、前記ハードウェアコンポーネントと前記データ生成モジュールまたはデータ消費モジュールとの間で交換されるデータを処理するように集合的に構成され、少なくとも前記データ処理モジュールの第１の部分は、制御入力に応答して構成可能であり、少なくとも前記データ処理モジュールの第２の部分は、前記少なくとも１つのアンテナを介する信号の前記送信または処理に関連する状態を示す値を出力するステータス出力を有する、複数のデータ処理モジュールと、
前記ステータス出力を受け取り、前記状態に基づいて、前記状態を補償する調整のために、無線テクノロジーの少なくとも１つのパラメーターを選択し、前記少なくとも１つのパラメーターの調整のために前記データ処理モジュールの前記第１の部分の前記制御入力に供給される少なくとも１つの制御信号を生成する、少なくとも１つの制御モジュールであって、前記無線テクノロジーは、データ処理モジュールの多数が構成されている、少なくとも１つの制御モジュールと、
を含む、ソフトウェア無線機モジュールと、
を含む、コンピューター実行可能モジュール、
を含む、コンピューティングデバイス。
【請求項２】
前記データ処理モジュールの第２の部分は、復調器を含む、請求項１に記載のコンピューティングデバイス。
【請求項３】
前記復調器は、前記復調器の前記ステータス出力で、ひずみベクトルの値（Ｘ、Ｙ）を表す値を出力する、請求項２に記載のコンピューティングデバイス。
【請求項４】
前記データ処理モジュールの前記第２の部分は、変調器を含み、
前記少なくとも１つの制御モジュールは、前記ひずみベクトルの前記値に基づいて前記変調器への制御入力を指定するコグニティブモジュールを含む、
請求項３に記載のコンピューティングデバイス。
【請求項５】
前記コグニティブモジュールは、前記ひずみベクトルの傾向に応答して前記制御入力を指定する、請求項４に記載のコンピューティングデバイス。
【請求項６】
前記複数のデータ処理モジュールの少なくとも１つが、少なくとも１つの構成可能なパラメーターの構成可能なパラメーターにしたがって動作し、
前記少なくとも１つの制御モジュールが、少なくとも部分的に特定のデータ処理モジュールに関連する少なくとも１つの構成可能なパラメーターのパラメーターを選択することによって、前記無線テクノロジーの少なくとも１つのパラメーターを選択し、前記特定のデータ処理モジュールに供給される制御信号を生成する、請求項１に記載のコンピューティングデバイス。
【請求項７】
前記ステータス出力を受信すると、前記少なくとも１つの制御モジュールが、前記状態に基づいて、前記無線テクノロジーの調整が行われることになっているか否かを決定し、調整が行われることになっているとの決定に応じて、前記選択が行われる、請求項１に記載のコンピューティングデバイス。
【請求項８】
調整するための前記少なくとも１つのパラメーターを選択すると、前記少なくとも１つの制御モジュールが、前記少なくとも１つのパラメーターのための少なくとも１つの値を識別し、
前記少なくとも１つの制御モジュールが、前記少なくとも１つの値を含む前記少なくとも１つのパラメーターを調整するための前記少なくとも１つの制御信号を生成する、
請求項１に記載のコンピューティングデバイス。
【請求項９】
前記少なくとも１つの制御モジュールが、少なくとも部分的に前記少なくとも１つのアンテナにより送信および受信の少なくともいずれかが行われる波形の調整のためのプロパティを選択することにより、前記無線テクノロジーの前記少なくとも１つのパラメーターを選択する、請求項１に記載のコンピューティングデバイス。
【請求項１０】
前記少なくとも１つの制御モジュールが、少なくとも部分的に周波数または振幅を選択することにより、送信および受信の少なくともいずれかが行われる波形の調整のためのプロパティを選択する、請求項１に記載のコンピューティングデバイス。
【請求項１１】
前記少なくとも１つの制御モジュールが、少なくとも部分的にデータを送信するための変調方式を調整することにより、前記無線テクノロジーの少なくとも１つのパラメーターを選択する、請求項１に記載のコンピューティングデバイス。
【請求項１２】
ソフトウェア無線機を実施するソフトウェアコンポーネントを有するコンピューティングデバイスを動作させる方法であって、
複数の無線通信を表す信号を受信するステップと、
前記ソフトウェア無線機を用いて前記信号を処理するステップであって、受信された信号と前記受信された信号の事前定義の状態との間の差に関するステータス情報を生成するステップを含み、前記事前定義の状態が前記ソフトウェア無線機を構成する無線テクノロジーにより定義される、処理するステップと、
タイムインターバルにわたってステータス情報を収集するステップと、
前記タイムインターバルにわたる前記ステータス情報の統計に基づいて前記ソフトウェア無線機を再構成するステップであって、前記ステータス情報の前記統計に基づいて、前記差を補償する調整のための前記無線テクノロジーの少なくとも１つのパラメーターを選択するステップを含む、再構成するステップと、
を含む方法。
【請求項１３】
前記ステータス情報は、ひずみベクトル（Ｘ、Ｙ）を含む、請求項１２に記載の方法。
【請求項１４】
前記ソフトウェア無線機は、ソフトウェア復調器を含み、前記生成するステップは、前記ソフトウェア復調器内で前記ステータス情報を生成するステップを含む、請求項１３に記載の方法。
【請求項１５】
前記ステータス情報は、受信された信号と事前定義のビットパターンとの間のいくつかのビット差を含む、請求項１２に記載の方法。
【請求項１６】
ソフトウェア無線機を実施するソフトウェアコンポーネントを有するコンピューティングデバイスを動作させる方法であって、
第１プロファイルに従って前記ソフトウェア無線機を構成するステップであって、前記第１プロファイルは、動作状態と関連付けられる、構成するステップと、
複数の無線通信を表す信号を受信するステップと、
前記ソフトウェア無線機を用いて前記信号を処理するステップであって、受信された信号と事前定義の状態のセットの状態との間の差に関するステータス情報を生成するステップを含む、処理するステップと、
前記ステータス情報を収集するステップと、
前記ソフトウェア無線機が前記第１プロファイルに関連する動作状態に従って動作していないことを前記状態が表す時に、第２プロファイルに従って前記ソフトウェア無線機を構成するステップであって、複数のパラメーターのなかから、前記差に関する前記ステータス情報に基づいて、調整のための無線テクノロジーの少なくとも１つのパラメーターを選択するステップと、少なくとも１つのパラメーターに少なくとも部分的に基づいて前記第２プロファイルを選択するステップとを含む、構成するステップと、
を含む方法。
【請求項１７】
前記ソフトウェア無線機の以前の再構成に続いて格納されたステータス情報に少なくとも部分的に基づいて前記第２プロファイルを選択するステップ
をさらに含む、請求項１６に記載の方法。
【請求項１８】
ステータス情報を生成するステップは、複数の時にひずみベクトル（Ｘ、Ｙ）を計算するステップを含む、請求項１７に記載の方法。
【請求項１９】
ステータス情報を生成するステップは、誤り訂正符号の使用を介して検出されたいくつかのビット誤りを追跡するステップを含む、請求項１７に記載の方法。
【請求項２０】
ステータス情報を生成するステップは、公称値からの逸脱のしきいレベル以内である受信された記号のレートを追跡するステップを含む、請求項１７に記載の方法。